(57)【要約】【課題】エコラン停止時に、冷房能力確保のための車両エンジン稼働要求の時期を遅らせることが可能な車両用空調装置を提供する。【解決手段】圧縮機の作動指令が出ている状態において車両エンジンがエコラン停止状態になったときに、蒸発器の冷房能力が所定レベルまで低下したことを判定すると、車両エンジンを再起動して圧縮機を再起動する車両用空調装置において、圧縮機の作動指令が出ている状態にて車両エンジンがエコラン停止状態になったときに、蒸発器の冷房熱負荷に関連する情報値として車室内吹出空気の目標吹出温度ＴＡＯの高低を判定し（Ｓ３）、冷房熱負荷の高い状態を判定すると、内外気吸込モードを強制的に内気モードとする（Ｓ４）。【選択図】        図２
2004182165.tif 000002
【特許請求の範囲】
【請求項１】
停車時に車両エンジン（４）を自動停止するエコラン停止制御を行う車両に搭載される車両用空調装置であって、
前記車両エンジン（４）により駆動される圧縮機（１）と、
前記圧縮機（１）を有する冷凍サイクル（Ｒ）に設けられ、車室内へ送風される空気を冷却する蒸発器（９）とを備え、
前記圧縮機（１）の作動指令が出ている状態において前記車両エンジン（４）がエコラン停止状態になったときに、前記蒸発器（９）の冷房能力が所定レベルまで低下したことを判定すると、前記車両エンジン（４）を再起動して前記圧縮機（１）を再起動する車両用空調装置において、
前記蒸発器（９）に吸い込まれる空気を内気と外気とに切り替える内外気切替手段（１４ａ）と、
前記蒸発器（９）の冷房熱負荷の高低を判定する判定手段（Ｓ３、Ｓ３１）と、
前記圧縮機（１）の作動指令が出ている状態において前記車両エンジン（４）がエコラン停止状態になったときに、前記判定手段（Ｓ３、Ｓ３１）が前記冷房熱負荷の高い状態を判定すると、前記内外気切替手段（１４ａ）を内気モード状態とする内外気吸込制御手段（Ｓ４）とを備えることを特徴とする車両用空調装置。
【請求項２】
前記判定手段（Ｓ３１）は車室内へ吹き出す空気の目標吹出温度に基づいて前記冷房熱負荷の高低を判定することを特徴とする請求項１に記載の車両用空調装置。
【請求項３】
前記判定手段（Ｓ３１）は外気温に基づいて前記冷房熱負荷の高低を判定することを特徴とする請求項１に記載の車両用空調装置。
【請求項４】
停車時に車両エンジン（４）を自動停止するエコラン停止制御を行う車両に搭載される車両用空調装置であって、
前記車両エンジン（４）により駆動される圧縮機（１）と、
前記圧縮機（１）を有する冷凍サイクル（Ｒ）に設けられ、車室内へ送風される空気を冷却する蒸発器（９）とを備え、
前記圧縮機（１）の作動指令が出ている状態において前記車両エンジン（４）がエコラン停止状態になったときに、前記蒸発器（９）の冷房能力が所定レベルまで低下したことを判定すると、前記車両エンジン（４）を再起動して前記圧縮機（１）を再起動する車両用空調装置において、
前記蒸発器（９）に吸い込まれる空気を内気と外気とに切り替える内外気切替手段（１４ａ）と、
車両窓ガラス内面付近の湿度の高低を判定する判定手段（Ｓ３２）と、
前記圧縮機（１）の作動指令が出ている状態において前記車両エンジン（４）がエコラン停止状態になったときに、前記車両窓ガラス内面付近の湿度が所定の曇り発生限界湿度未満である状態を前記判定手段（Ｓ３２）により判定すると、前記内外気切替手段（１４ａ）を内気モード状態とする内外気吸込制御手段（Ｓ４）とを備えることを特徴とする車両用空調装置。
【請求項５】
前記圧縮機（１）を前記車両エンジン（４）のみにより駆動するようになっていることを特徴とする請求項１ないし４のいずれか１つに記載の車両用空調装置。
【請求項６】
前記圧縮機（１）を、前記車両エンジン（４）と電動モータ（４０）の両方により駆動可能になっており、
前記エコラン停止状態において、前記蒸発器（９）の冷房能力に関連する情報値が冷房能力低下側の第１所定値に達すると、前記電動モータ（４０）により前記圧縮機（１）を駆動し、
前記エコラン停止状態において、前記蒸発器（９）の冷房能力に関連する情報値が前記第１所定値よりも一層冷房能力低下側に位置する第２所定値に達すると、前記車両エンジン（４）を再起動して前記圧縮機（１）を駆動することを特徴とする請求項１ないし４のいずれか１つに記載の車両用空調装置。
【発明の詳細な説明】
【０００１】
【発明の属する技術分野】
本発明は、停車時に車両エンジンを自動停止するエコラン停止制御を行う車両に搭載される空調装置おいて、内外気吸込制御に関するものである。
【０００２】
【従来の技術】
近年、環境保護、燃費低減等を目的にして、信号待ち等の停車時に車両エンジンを自動的に停止する車両（ハイブリッド車等のエコラン車）が実用化されており、今後、停車時に車両エンジンを停止する車両が増加する傾向にある。
【０００３】
このように停車時に車両エンジンを自動的に停止する車両に搭載される空調装置は従来種々提案されている（例えば、特許文献１参照）。
【０００４】
ところで、車両用空調装置においては、冷凍サイクルの圧縮機を車両エンジンにより駆動しているので、上記エコラン車においては信号待ち等で停車して、車両エンジンが停止される毎に、圧縮機も停止して冷房用蒸発器の温度が上昇し、車室内への吹出空気温度が上昇するので、乗員の冷房フィーリングを損なう。
【０００５】
そこで、停車時に冷房用蒸発器の温度が所定の冷房上限目標温度（例えば、１２℃〜１６℃程度）まで上昇すると、車両エンジンに対して稼働要求の信号を出して、停車中であっても車両エンジンを再起動する。これにより、冷凍サイクルの圧縮機を再起動し、冷房用蒸発器の冷却機能を再開して、冷房フィーリングの悪化を抑制している。
【０００６】
また、冷凍サイクルの圧縮機を車両エンジンと電動モータの両方で駆動可能とするハイブリッド駆動方式（２ウェイ駆動方式）も知られており、このハイブリッド駆動方式では停車時に電動モータにより圧縮機を駆動することができるが、電動モータの出力の制約から十分な冷房能力を確保できない。その結果、停車中であっても冷房能力の確保のために車両エンジンを再起動する必要が生じる。
【０００７】
【特許文献１】
特許第３２６１０９９号公報
【０００８】
【発明が解決しようとする課題】
以上のように停車中であっても冷房能力確保のために車両エンジンの再起動が必要となるので、環境保護、燃費低減等を目的とするエコラン車本来の特徴を大きく損なうことになる。
【０００９】
本発明は上記点に鑑みて、冷房能力確保のための車両エンジン稼働要求の時期を遅らせることが可能な車両用空調装置を提供することを目的とする。
【００１０】
【課題を解決するための手段】
上記目的を達成するため、請求項１に記載の発明では、停車時に車両エンジン（４）を自動停止するエコラン停止制御を行う車両に搭載される車両用空調装置であって、車両エンジン（４）により駆動される圧縮機（１）と、圧縮機（１）を有する冷凍サイクル（Ｒ）に設けられ、車室内へ送風される空気を冷却する蒸発器（９）とを備え、
圧縮機（１）の作動指令が出ている状態において車両エンジン（４）がエコラン停止状態になったときに、蒸発器（９）の冷房能力が所定レベルまで低下したことを判定すると、車両エンジン（４）を再起動して圧縮機（１）を再起動する車両用空調装置において、
蒸発器（９）に吸い込まれる空気を内気と外気とに切り替える内外気切替手段（１４ａ）と、蒸発器（９）の冷房熱負荷の高低を判定する判定手段（Ｓ３、Ｓ３１）と、圧縮機（１）の作動指令が出ている状態において車両エンジン（４）がエコラン停止状態になったときに、判定手段（Ｓ３、Ｓ３１）が冷房熱負荷の高い状態を判定すると、内外気切替手段（１４ａ）を内気モード状態とする内外気吸込制御手段（Ｓ４）とを備えることを特徴とする。
【００１１】
これにより、車両エンジン（４）のエコラン停止状態において冷房熱負荷が高いときは内外気吸込モードがたとえ外気モードであっても、内外気吸込モードを強制的に内気モード状態として、蒸発器（９）の吹出空気温度の上昇を外気モード時に比較して遅延できる。その結果、車両エンジン（４）のエコラン停止後、蒸発器（９）の冷房能力低下に伴って車両エンジンの稼働要求を出す時期を遅延できる。従って、環境保護、燃費低減等といったエコラン車本来の特徴を効果的に発揮できる。
【００１２】
なお、冷房熱負荷が低いときは、車両エンジン（４）のエコラン停止後における蒸発器（９）の吹出空気温度の上昇度合いが小さいから、内外気吸込モードを強制的に内気モードとする必要性は小さくなる。従って、冷房熱負荷が低いときは内外気吸込モードを乗員の要求、車両環境条件等に応じて決定すればよい。
【００１３】
請求項２に記載の発明のように、請求項１において、判定手段（Ｓ３１）は車室内へ吹き出す空気の目標吹出温度に基づいて冷房熱負荷の高低を判定することができる。
【００１４】
また、請求項３に記載の発明のように、請求項１において、判定手段（Ｓ３１）は外気温に基づいて冷房熱負荷の高低を判定するようにしてもよい。
【００１５】
請求項４に記載の発明では、停車時に車両エンジン（４）を自動停止するエコラン停止制御を行う車両に搭載される車両用空調装置であって、車両エンジン（４）により駆動される圧縮機（１）と、圧縮機（１）を有する冷凍サイクル（Ｒ）に設けられ、車室内へ送風される空気を冷却する蒸発器（９）とを備え、
圧縮機（１）の作動指令が出ている状態において車両エンジン（４）がエコラン停止状態になったときに、蒸発器（９）の冷房能力が所定レベルまで低下したことを判定すると、車両エンジン（４）を再起動して圧縮機（１）を再起動する車両用空調装置において、
蒸発器（９）に吸い込まれる空気を内気と外気とに切り替える内外気切替手段（１４ａ）と、車両窓ガラス内面付近の湿度の高低を判定する判定手段（Ｓ３２）と、圧縮機（１）の作動指令が出ている状態において車両エンジン（４）がエコラン停止状態になったときに、車両窓ガラス内面付近の湿度が所定の曇り発生限界湿度未満である状態を判定手段（Ｓ３２）により判定すると、内外気切替手段（１４ａ）を内気モード状態とする内外気吸込制御手段（Ｓ４）とを備えることを特徴とする。
【００１６】
これにより、車両エンジン（４）のエコラン停止状態において車両窓ガラス内面付近の湿度が所定の曇り発生限界湿度未満である状態を判定したときは、内外気吸込モードがたとえ外気モードであっても、内外気吸込モードを強制的に内気モード状態として、蒸発器（９）の吹出空気温度の上昇を外気モード時に比較して遅延できる。その結果、車両エンジン（４）のエコラン停止後、冷房能力確保のための車両エンジン稼働要求の時期を遅延できるので、環境保護、燃費低減等といったエコラン車本来の特徴を効果的に発揮できる。
【００１７】
しかも、車両窓ガラス内面付近の湿度が所定の曇り発生限界湿度未満であるときに内外気吸込モードを強制的に内気モードとするから、車両窓ガラス内面付近の湿度が所定の曇り発生限界湿度以上となるときは内外気吸込モードを強制的に内気モードとしない。そのため、内気モードへの切替に伴う車両窓ガラスの曇り発生を未然に防止できる。
【００１８】
請求項５に記載の発明のように、請求項１ないし４のいずれか１つにおいて、圧縮機（１）を車両エンジン（４）のみにより駆動するようにしてよい。
【００１９】
請求項６に記載の発明では、請求項１ないし４のいずれか１つにおいて、圧縮機（１）を、車両エンジン（４）と電動モータ（４０）の両方により駆動可能になっており、エコラン停止状態において、蒸発器（９）の冷房能力に関連する情報値が冷房能力低下側の第１所定値に達すると、電動モータ（４０）により圧縮機（１）を駆動し、エコラン停止状態において、蒸発器（９）の冷房能力に関連する情報値が第１所定値よりも一層冷房能力低下側に位置する第２所定値に達すると、車両エンジン（４）を再起動して圧縮機（１）を駆動することを特徴とする。
【００２０】
ここで、蒸発器（９）の冷房能力に関連する情報値としては、具体的には蒸発器（９）の吹出空気温度、蒸発器（９）のフィン表面温度、設定温度と内気温との温度差等を用いることができる。
【００２１】
請求項６に記載の発明のように、車両エンジン（４）のエコラン停止状態において、最初に、電動モータ（４０）により圧縮機（１）を駆動し、その後に、蒸発器（９）の冷房能力低下の進行に伴って圧縮機（１）を車両エンジン駆動に切り替えるハイブリッド駆動方式においても、請求項１、４による作用効果は同様に発揮できる。
【００２２】
なお、上記各手段の括弧内の符号は、後述する実施形態に記載の具体的手段との対応関係を示すものである。
【００２３】
【発明の実施の形態】
（第１実施形態）
図１は第１実施形態の全体システム構成図であり、車両用空調装置の冷凍サイクルＲは冷媒を吸入、圧縮、吐出する圧縮機１を有し、この圧縮機１には動力断続用の電磁クラッチ２が備えられている。圧縮機１には電磁クラッチ２およびベルト３を介して車両エンジン４の動力が伝達されるので、電磁クラッチ２への通電を空調用制御装置５により断続することにより圧縮機１の運転が断続される。
【００２４】
圧縮機１から吐出された高温、高圧の過熱ガス冷媒は凝縮器６に流入し、図示しない冷却ファンより送風される外気と熱交換して冷却され凝縮する。この凝縮器６で凝縮した冷媒は次に受液器７に流入し、受液器７の内部で冷媒の気液が分離され、冷凍サイクルＲ内の余剰冷媒（液冷媒）が受液器７内に蓄えられる。
【００２５】
この受液器７からの液冷媒は減圧手段をなす膨張弁８により低圧に減圧され、低圧の気液２相状態となる。膨張弁８は冷房用熱交換器をなす蒸発器９の出口冷媒の温度を感知する感温部８ａを有する温度式膨張弁である。この膨張弁８からの低圧冷媒は蒸発器９に流入する。この蒸発器９は車両用空調装置の空調ケース１０内に設置され、蒸発器９に流入した低圧冷媒は空調ケース１０内の空気から吸熱して蒸発する。蒸発器９の出口は圧縮機１の吸入側に結合され、上記したサイクル構成部品によって閉回路を構成している。
【００２６】
空調ケース１０において、蒸発器９の上流側には送風機１１が配置され、送風機１１には遠心式送風ファン１２と駆動用モータ１３が備えられている。送風ファン１２の吸入側には内外気切替箱１４が配置され、この内外気切替箱１４内の内外気切替ドア１４ａにより外気導入口１４ｂと内気導入口１４ｃを開閉する。
これにより、内外気切替箱１４内に外気（車室外空気）または内気（車室内空気）が切替導入される。内外気切替ドア１４ａは内外気切替手段を構成するものであり、サーボモータからなる電気駆動装置１４ｅにより駆動される。
【００２７】
空調装置通風系のうち、送風機１１下流側に配置される空調ユニット１５部は、通常、車室内前部の計器盤内側において車両幅方向の中央位置に配置され、送風機１１部は空調ユニット１５部に対して助手席側にオフセット配置される。空調ケース１０内で、蒸発器９の下流側にはエアミックスドア１９が配置されている。このエアミックスドア１９は回転可能な板ドアで構成され、エアミックスドア１９の下流側には車両エンジン４の温水（冷却水）を熱源として空気を加熱する温水式ヒータコア２０が暖房用熱交換器として設置されている。
【００２８】
そして、この温水式ヒータコア２０の側方（上方部）には、温水式ヒータコア２０をバイパスして空気（冷風）が流れるバイパス通路２１が形成されている。
エアミックスドア１９は、温水式ヒータコア２０を通過する温風とバイパス通路２１を通過する冷風との風量割合を調節するものであって、この冷温風の風量割合の調節により車室内への吹出空気温度を調節する。
【００２９】
従って、本例においてはエアミックスドア１９により車室内への吹出空気の温度調節手段が構成される。なお、エアミックスドア１９はサーボモータからなる電気駆動装置２２により回転駆動される。
【００３０】
温水式ヒータコア２０の下流側には下側から上方へ延びる温風通路２３が形成され、この温風通路２３からの温風とバイパス通路２１からの冷風が空気混合部２４で混合して、所望温度の空気を作り出すことができる。
【００３１】
さらに、空調ケース１０内で、空気混合部２４の下流側に吹出モード切替部が構成されている。すなわち、空調ケース１０の上面部にはデフロスタ開口部２５が形成され、このデフロスタ開口部２５は図示しないデフロスタダクトを介して車両前面窓ガラス内面に空気を吹き出すものである。デフロスタ開口部２５は、回転可能な板状のデフロスタドア２６により開閉される。
【００３２】
また、空調ケース１０の上面部で、デフロスタ開口部２５より車両後方側の部位にフェイス開口部２７が形成され、このフェイス開口部２７は図示しないフェイスダクトを介して車室内乗員の上半身に向けて空気を吹き出すものである。フェイス開口部２７は回転可能な板状のフェイスドア２８により開閉される。
【００３３】
また、空調ケース１０において、フェイス開口部２７の下側部位にフット開口部２９が形成され、このフット開口部２９は車室内乗員の足元に向けて空気を吹き出すものである。フット開口部２９は回転可能な板状のフットドア３０により開閉される。上記した吹出モードドア２６、２８、３０は共通のリンク機構（図示せず）に連結され、このリンク機構を介してサーボモータからなる電気駆動装置３１により駆動される。
【００３４】
空調ケース１０内で蒸発器９の空気吹出直後の部位に蒸発器９の温度センサ３２が配置され、この温度センサ３２により蒸発器吹出温度Ｔｅを検出するようになっている。
【００３５】
空調用制御装置５には、上記の温度センサ３２の他に、空調制御のために、内気温Ｔｒ、外気温Ｔａｍ、日射量Ｔｓ、温水温度Ｔｗ等を検出する周知のセンサ群３５から検出信号が入力される。また、車室内計器盤近傍に設置される空調制御パネル３６には乗員により手動操作される操作部材群３７が備えられ、この操作部材群３７の操作信号も空調用制御装置５に入力される。
【００３６】
この操作部材群３７としては、温度設定信号Ｔｓｅｔを発生する温度設定スイッチ３７ａ、風量切替信号を発生する風量スイッチ３７ｂ、吹出モード切替信号を発生する吹出モードスイッチ３７ｃ、内外気切替信号を発生する内外気切替スイッチ３７ｄ、圧縮機１のオンオフ信号を発生するエアコンスイッチ３７ｅ等が設けられている。
【００３７】
一方、空調用制御装置５はエンジン用制御装置３８に接続されており、エンジン用制御装置３８から空調用制御装置５には車両エンジン４の回転数信号、車速信号等が入力される。
【００３８】
エンジン用制御装置３８は周知のごとく車両エンジン４の運転状況等を検出するセンサ群（図示せず）からの信号に基づいて車両エンジン４への燃料噴射量、点火時期等を総合的に制御するものである。さらに、本実施形態の対象とするエコラン車においては、車両エンジン４の回転数信号、車速信号、ブレーキ信号等に基づいて停車状態を判定すると、エンジン用制御装置３８は、点火装置の電源遮断、燃料噴射の停止等により車両エンジン４を自動的に停止させ、エコラン停止状態となる。
【００３９】
また、エコラン停止後（エンジン停止後）、運転者がアクセルペダルを踏み込み、車両の発進操作を行うと、エンジン用制御装置３８は車両の発進状態をアクセルペダル信号等に基づいて判定して、車両エンジン４を自動的に始動させる。
なお、空調用制御装置５は、エコラン停止後、蒸発器温度センサ３２により検出される蒸発器吹出温度Ｔｅが所定の冷房上限目標温度（例えば、１２℃〜１６℃程度）に上昇すると、エンジン再稼働要求の信号をエンジン用制御装置３８に出力する。
【００４０】
また、蒸発器吹出温度Ｔｅは、通常の空調装置と同様に、圧縮機１の電磁クラッチ２の断続制御や、圧縮機１が可変容量型である場合はその吐出容量制御のために使用され、これらのクラッチ断続制御や吐出容量制御により蒸発器９の冷房能力を調整する。
【００４１】
空調用制御装置５およびエンジン用制御装置３８はＣＰＵ、ＲＯＭ、ＲＡＭ等からなる周知のマイクロコンピュータと、その周辺回路にて構成されるものである。空調用制御装置５は、エンジン稼働時における通常の空調制御機能、すなわち、圧縮機断続制御、風量制御、エアミックスドア制御、内外気吸込制御、吹出モード制御等の他に、車両エンジン４の停止許可、停止禁止の信号やエコラン停止後のエンジン再稼働要求の信号を出力するエンジン制御機能、エコラン停止時における放冷冷房モード制御機能等を果たすものである。なお、空調用制御装置５およびエンジン用制御装置３８を１つの制御装置として統合してもよい。
【００４２】
次に、上記構成において本実施形態の作動を説明する。車両走行時には、車両エンジン４が運転状態にあって、圧縮機１が車両エンジン４により駆動されるので、冷凍サイクルＲ内を冷媒が循環する。そのため、膨張弁８にて減圧された低温低圧の気液２相冷媒が蒸発器９にて送風機１１の送風空気から吸熱して蒸発する。これにより、送風空気が冷却され、冷風となる。蒸発器９の吹出温度Ｔｅは圧縮機１作動の断続制御により３°Ｃ〜５°Ｃ付近の温度に維持され、蒸発器９のフロストを防止する。
【００４３】
一方、エコラン車では信号待ち等の停車状態をエンジン用制御装置３８により判定すると、車両エンジン４を自動的に停止する。このため、停車時には冷凍サイクルＲの圧縮機１が停止状態となる。従って、停車時には蒸発器９の熱容量に基づく蓄冷熱量の放冷作用によって送風空気の冷却を継続し、車室内の冷房作用を継続することになる。
【００４４】
そして、エコラン停止後、時間の経過とともに蒸発器９の吹出温度Ｔｅが上昇していき、蒸発器吹出温度Ｔｅが所定の冷房上限目標温度（例えば、１２℃〜１６℃程度）まで上昇すると、空調用制御装置５がこれを判定してエンジン再稼働要求の信号をエンジン用制御装置３８に出力する。これにより、エコラン停止中であっても、車両エンジン４を自動的に再起動し、圧縮機１を再起動する。従って、蒸発器９の冷却機能を再開して、必要冷房能力を確保できるので、冷房フィーリングの悪化を未然に回避できる。
【００４５】
しかし、エコラン停止後、冷房能力確保のために短時間で車両エンジン４を再起動すると、停車中における車両エンジン４の停止時間が短時間となって、環境保護、燃費低減等を目的とするエコラン車本来の特徴が大きく損なわれる。
【００４６】
そこで、第１実施形態では以下述べる内外気吸い込み制御を行うことにより、冷房熱負荷の低減を図って、停車中における車両エンジン４の停止時間の延長を図るものである。
【００４７】
図２は空調用制御装置５により実行されるエコラン停止時の内外気吸込制御であり、エアコンスイッチ３７ｅがＯＮ状態にあること、およびエコラン停止時（停車状態を判定して車両エンジン４を自動的に停止した状態）にあることを判定すると、図２の内外気吸込制御がスタートする。
【００４８】
先ず、ステップＳ１にて内外気吸込モードが外気であるか判定する。ここで、内外気吸込モードは内外気切替スイッチ３７ｄによりマニュアル設定される場合と、空調環境条件の変化に応じて空調用制御装置５により自動設定される場合の両方がある。内外気吸込モードが内気モードになっている場合はステップＳ２に進み内気モードを継続する。
【００４９】
これに反し、内外気吸込モードが外気モードになっている場合はステップＳ３にて車室内吹出空気の目標吹出温度ＴＡＯの高低判定を行う。ここで、目標吹出温度ＴＡＯは、空調熱負荷条件の変化にかかわらず、車室内温度を乗員の設定した設定温度Ｔｓｅｔに維持するために必要な車室内吹出空気温度である。目標吹出温度ＴＡＯは具体的には以下の数式１により算出される。
【００５０】
【数１】
ＴＡＯ＝Ｋｓｅｔ・Ｔｓｅｔ−Ｋｒ・Ｔｒ−Ｋａｍ・Ｔａｍ−Ｋｓ・Ｔｓ＋Ｃ但し、Ｋｓｅｔは温度設定ゲイン、Ｔｓｅｔは設定温度信号、Ｋｒは内気温ゲイン、Ｔｒは内気温信号、Ｋａｍは外気温ゲイン、Ｔａｍは外気温信号、Ｋｓは日射ゲイン、Ｔｓは日射量信号、Ｃは補正定数である。
【００５１】
上記の数式１から理解されるように、目標吹出温度ＴＡＯは、設定温度Ｔｓｅｔが低いほど、また、内気温Ｔｒおよび外気温Ｔａｍが高いほど、また、日射量Ｔｓが大きいほど、つまり、冷房熱負荷が高くなるほど、低い温度となる。従って、目標吹出温度ＴＡＯの高低の判定により冷房熱負荷の高低を判定できる。
【００５２】
そして、ステップＳ３におけるＴＡＯ判定は具体的には図３のように行う。すなわち、ＴＡＯが所定の第１判定温度Ｔ１（例えば、３０℃）より低下すると、冷房熱負荷の高い条件にあると判定し、判定結果がＹＥＳとなり、ステップＳ４に進み、エコラン停止時の内外気吸込モードを強制的に内気モードに切り替える。この結果、蒸発器９の吸込空気温度が外気モード時に比して大幅に低温となり、蒸発器９の吸熱量が減少するので、エコラン停止時に蒸発器９の蓄冷熱量により送風空気を冷却する際に、蒸発器９の吹出温度Ｔｅの上昇度合いを低減できる。これにより、エコラン停止後に蒸発器吹出温度Ｔｅが所定の冷房上限目標温度（例えば、１２℃〜１６℃程度）に上昇するまでの時間（エンジン停止時間）を延ばすことができる。そのため、エコラン車本来の環境保護、燃費低減等といった特徴を効果的に発揮できる。
【００５３】
一方、ステップＳ３においてＴＡＯが第１判定温度Ｔ１（例えば、３０℃）より高いときは冷房熱負荷の低い条件にあると判定して、判定結果がＮＯとなり、ステップＳ５に進み外気モードを継続する。
【００５４】
なお、図３において、第２判定温度Ｔ２は第１判定温度Ｔ１より所定温度だけ高い温度（例えば、３５℃）であり、第１判定温度Ｔ１と第２判定温度Ｔ２との温度差は内外気吸込モード切替のハンチングを防止するヒステリシス幅である。
【００５５】
なお、冷房上限目標温度は、外気温Ｔａｍの上昇に応じて上昇するように決定することが、エコラン停止時におけるエンジン停止時間の延長のために好ましい。
【００５６】
なお、第１実施形態では、ステップＳ３により本発明の判定手段が構成され、ステップＳ４により本発明の内外気吸込モード制御手段が構成される。
【００５７】
（第２実施形態）
第１実施形態では車室内吹出空気の目標吹出温度ＴＡＯに基づいて冷房熱負荷の高低を判定しているが、第２実施形態では、図４のステップＳ３１にて外気温Ｔａｍに基づいて冷房熱負荷の高低を判定している。
【００５８】
具体的には、図５に示すように、外気温Ｔａｍが所定の第１判定温度Ｔ１（例えば、２０℃）より上昇すると、冷房熱負荷の高い条件にあると判定し、判定結果がＹＥＳとなる。従って、ステップＳ４に進み、エコラン停止時の内外気吸込モードを強制的に内気モードに切り替える。
【００５９】
外気温Ｔａｍが所定の第１判定温度Ｔ１（例えば、２０℃）より低いときは冷房熱負荷の低い条件にあると判定して判定結果がＮＯとなり、ステップＳ５に進み外気モードを継続する。
【００６０】
なお、図５においても、内外気吸込モード切替のハンチングを防止するヒステリシス幅を設定するために、第１判定温度Ｔ１より所定温度だけ低い第２判定温度Ｔ２（例えば、１８℃）を設定している。
【００６１】
（第３実施形態）
第１、第２実施形態では、冷房熱負荷と相関関係のある情報値（ＴＡＯ、Ｔａｍ）を判定して、エコラン停止時の冷房熱負荷が高いときは内外気吸込モードを強制的に内気モードに切り替えるようにしているが、第３実施形態では車両前面窓ガラス内面付近に湿度センサ（図示せず）を配置し、車両窓ガラスの曇り発生と密接に関連している窓ガラス内面付近の湿度（相対湿度ＲＨ）を湿度センサにより検出し、その検出湿度に基づいてエコラン停止時の内外気吸込モードを自動制御する。
【００６２】
図６は第３実施形態によるエコラン停止時の内外気吸込制御であり、ステップＳ３２において湿度センサにより検出される窓ガラス内面付近の湿度の高低を判定している。具体的には、図７に示すように、窓ガラス内面付近の湿度が第１曇り発生限界湿度ＲＨ１（例えば、９０％）未満であるか判定する。窓ガラス内面付近の湿度が第１曇り発生限界湿度ＲＨ１未満であるときは、窓ガラスの曇りが発生しない状況にあると判定して判定結果がＹＥＳとなり、ステップＳ４に進み、エコラン停止時の内外気吸込モードを強制的に内気モードに切り替える。
【００６３】
一方、ステップＳ３２において窓ガラス内面付近の湿度が第１曇り発生限界湿度ＲＨ１以上であるときは、窓ガラスの曇りが発生しやすい状況にあると判定して判定結果がＮＯとなり、ステップＳ５に進み外気モードを継続する。
【００６４】
なお、図７においても、内外気吸込モード切替のハンチングを防止するヒステリシス幅を設定するために、第１曇り発生限界湿度ＲＨ１より所定値だけ低い第２曇り発生限界湿度ＲＨ２（例えば、６０％）を設定している。
【００６５】
（第４実施形態）
第１〜第３実施形態では、圧縮機１の駆動源が車両エンジン４のみである場合について説明したが、第４実施形態は圧縮機１の駆動源として車両エンジン４と電動モータ４０（図８参照）の両方を用いるハイブリッド駆動方式（２ウエイ駆動方式）を採用するものである。
【００６６】
図８は第４実施形態によるハイブリッド駆動方式の圧縮機１を示すものであり、圧縮機１は斜板（図示せず）の傾斜角度の変化により吐出容量を０％付近から１００％まで連続的に変化させる可変容量型圧縮機として構成されている。周知のごとく、斜板の傾斜角度を変化させるための制御圧を電磁弁機構４１の制御電流により制御して、圧縮機１の吐出容量を変化させるようになっている。
【００６７】
圧縮機１の回転軸４２の一端側に電動モータ４０が同軸的に構成してある。電動モータ４０はステータ部４０ａの外周側にロータ部４０ｂを配置したアウターロータタイプであり、ロータ部４０ｂは支持部４０ｃを介して回転軸４２の一端側に一体に連結されている。ステータ部４０ａは支持部４０ｄを介して圧縮機１のハウジング４３の円筒状突出部４３ａに固定支持される。
【００６８】
車両エンジン４によりベルト駆動されるプーリ部４４は軸受４５により円筒状突出部４３ａ上に回転自在に支持される。また、プーリ部４４には回転伝達部材４６が一体に連結され、この回転伝達部材４６は一方向クラッチ４７を介して電動モータ４０のロータ支持部４０ｃに連結される。ここで、一方向クラッチ４７は回転伝達部材４６からロータ支持部４０ｃへの一方向のみに回転を伝達し、逆方向、すなわち、ロータ支持部４０ｃから回転伝達部材４６への方向には回転を伝達しない構成になっている。
【００６９】
車両走行時には電動モータ４０は停止状態に維持され、車両エンジン４の回転がベルト駆動によりプーリ部４４に伝達され、このプーリ部４４の回転が回転伝達部材４６、一方向クラッチ４７およびロータ支持部４０ｃを介して圧縮機１の回転軸４２に伝達される。従って、車両走行時にはエンジン駆動により圧縮機１が作動する。そして、圧縮機１の吐出容量制御により蒸発器吹出温度Ｔｅを所定の目標吹出温度に制御できる。
【００７０】
これに対し、エコラン停止時には車両エンジン４の停止に伴って圧縮機１が停止すると、蒸発器吹出温度Ｔｅが次第に上昇していく。そして、蒸発器吹出温度Ｔｅが第１所定温度例えば、８℃まで上昇すると、圧縮機１の駆動源として先ず電動モータ４０を選択し、電動モータ４０を車載バッテリを電源として作動させる。これにより、電動モータ４０のロータ部４０ｂの回転が支持部４０ｃを介して回転軸４２に伝達され、圧縮機１が作動する。このとき、一方向クラッチ４７の作用により電動モータ４０の回転が車両エンジン４側へ伝達されることを防止できる。
【００７１】
電動モータ４０の回転出力は車両エンジン４に比して大幅に小さいため、電動モータ駆動時における圧縮機１の冷媒吐出能力はエンジン駆動時より大幅に小さい。そのため、冷房熱負荷の高い時には圧縮機１を電動モータ４０により駆動しても蒸発器吹出温度Ｔｅが次第に上昇していく。そして、蒸発器吹出温度Ｔｅが第１所定温度より高い第２所定温度（例えば、１２℃〜１６℃程度の温度）まで上昇すると、車両エンジン４の稼働要求信号を空調用制御装置５からエンジン用制御装置３８に出して、車両エンジン４を再起動し、車両エンジン４により圧縮機１を駆動する。従って、このときは空調用制御装置５の出力により電動モータ４０を停止する。
【００７２】
このように圧縮機１の駆動を電動モータ駆動からエンジン駆動に切り替えることにより、圧縮機１の冷媒吐出能力を向上して必要冷房能力を確保する。
【００７３】
ところで、第４実施形態によるハイブリッド駆動方式の圧縮機１を備える車両用空調装置においても、エコラン停止時における内外気吸込制御を第１〜第３実施形態のように冷房熱負荷あるいは窓ガラス内面湿度に応じて、強制的に内気モードを設定することにより、第１〜第３実施形態と同様の作用効果を発揮できる。
【００７４】
なお、第４実施形態では、圧縮機１の回転軸４２に対して電動モータ４０を同軸的に構成する例について説明したが、圧縮機１の外部に電動モータ４０を独立に構成し、この外部の電動モータ４０の回転をベルト等の回転伝達機構を介して圧縮機１の回転軸４２に伝達するようにしてもよい。
【図面の簡単な説明】
【図１】本発明の第１実施形態の全体システム構成図である。
【図２】第１実施形態によるエコラン停止時の内外気吸込制御を示すフローチャートである。
【図３】図２における目標吹出温度ＴＡＯ判定の具体例を示す説明図である。
【図４】第２実施形態によるエコラン停止時の内外気吸込制御を示すフローチャートである。
【図５】図４における外気温判定の具体例を示す説明図である。
【図６】第３実施形態によるエコラン停止時の内外気吸込制御を示すフローチャートである。
【図７】図６におけるガラス内面付近湿度判定の具体例を示す説明図である。
【図８】第４実施形態によるハイブリッド駆動方式の圧縮機を示す一部断面正面図である。
【符号の説明】
Ｒ…冷凍サイクル、１…圧縮機、４…車両エンジン、５…空調用制御装置、
９…蒸発器、１４ａ…内外気切替ドア。
【図１】
2004182165.tif 000003
【図２】
2004182165.tif 000004
【図３】
2004182165.tif 000005
【図４】
2004182165.tif 000006
【図５】
2004182165.tif 000007
【図６】
2004182165.tif 000008
【図７】
2004182165.tif 000009
【図８】
2004182165.tif 000010